(57)【要約】【課題】  ユーザが所望する番組の選局を視聴地域に応じて行う。【解決手段】  チャンネル情報テーブルは、物理チャンネルとサービスＩＤと系列ＩＤとを対応付けてチャンネル情報として記憶する。チャンネル情報抽出部４１は、番組指定情報に含まれる物理チャンネルおよびサービスＩＤを有するチャンネル情報が、チャンネル情報テーブルに記憶されたチャンネル情報から抽出できなかった場合に、番組指定情報に含まれるサービスＩＤを有するチャンネル情報を、チャンネル情報テーブルに記憶されたチャンネル情報から抽出する。番組選局部４２は、チャンネル情報抽出部４１によって抽出されたチャンネル情報に含まれる物理チャンネルを用いて選局する。【選択図】  図１
2008153883.tif 000002
【特許請求の範囲】
【請求項１】
放送波の周波数を識別するための物理チャンネルと放送事業者により提供される番組を識別するためのサービスＩＤと放送事業者を識別するための系列ＩＤとを対応付けて、チャンネル情報として記憶させるチャンネル情報記憶手段と、
特定の前記番組を選局するように指定する番組指定情報に含まれる前記物理チャンネルおよび前記サービスＩＤと一致する物理チャンネルおよびサービスＩＤを有する前記チャンネル情報を、前記チャンネル情報記憶手段によって記憶された前記チャンネル情報から抽出するチャンネル情報抽出手段と、
前記チャンネル情報抽出手段によって抽出された前記チャンネル情報に含まれる前記物理チャンネルに基づいて選局する選局手段と、を備え、
前記チャンネル情報抽出手段は、前記番組指定情報に含まれる前記物理チャンネルおよび前記サービスＩＤを有する前記チャンネル情報を、前記チャンネル情報記憶手段によって記憶された前記チャンネル情報から抽出できない場合には、前記番組指定情報に含まれる前記サービスＩＤと一致するサービスＩＤを有する前記チャンネル情報を、前記チャンネル情報記憶手段によって記憶された前記チャンネル情報から抽出することを特徴とする移動通信端末。
【請求項２】
前記チャンネル情報抽出手段は、前記番組指定情報に含まれる前記サービスＩＤを有する前記チャンネル情報を、前記チャンネル情報記憶手段によって記憶された前記チャンネル情報から抽出できない場合には、前記番組指定情報に含まれる前記系列ＩＤと一致する系列ＩＤを有する前記チャンネル情報を、前記チャンネル情報記憶手段によって記憶された前記チャンネル情報から抽出することを特徴とする請求項１記載の移動通信端末。
【請求項３】
最後に選局された前記番組に対応する前記チャンネル情報を記憶するラストチャンネル情報記憶手段をさらに備え、
前記選局手段は、前記チャンネル情報抽出手段によって前記番組指定情報に含まれる前記系列ＩＤを有する前記チャンネル情報が前記チャンネル情報記憶手段によって記憶された前記チャンネル情報から抽出されなかった場合には、前記ラストチャンネル情報記憶手段によって記憶されたチャンネル情報に含まれる前記物理チャンネルに基づいて選局することを特徴とする請求項２に記載の移動通信端末。
【請求項４】
移動通信端末が、
放送波の周波数を識別するための物理チャンネルと放送事業者により提供される番組を識別するためのサービスＩＤと放送事業者を識別するための系列ＩＤとを対応付けて、メモリにチャンネル情報として記憶させるチャンネル情報記憶ステップと、
特定の前記番組を選局するように指定する番組指定情報に含まれる前記物理チャンネルおよび前記サービスＩＤと一致する物理チャンネルおよびサービスＩＤを有する前記チャンネル情報を、前記チャンネル情報記憶ステップにおいて記憶された前記チャンネル情報から抽出するチャンネル情報抽出ステップと、
前記チャンネル情報抽出ステップにおいて抽出された前記チャンネル情報に含まれる前記物理チャンネルに基づいて選局する選局ステップと、を備え、
前記チャンネル情報抽出ステップは、前記番組指定情報に含まれる前記物理チャンネルおよび前記サービスＩＤを有する前記チャンネル情報を、前記チャンネル情報記憶手段によって記憶された前記チャンネル情報から抽出できない場合には、前記番組指定情報に含まれる前記サービスＩＤと一致するサービスＩＤを有する前記チャンネル情報を、前記チャンネル情報記憶ステップにおいて記憶された前記チャンネル情報から抽出することを特徴とする番組選局方法。
【発明の詳細な説明】
【技術分野】
【０００１】
本発明は、移動通信端末および番組選局方法に関する。
【背景技術】
【０００２】
近年、地上デジタル放送波を受信するテレビ受像機が搭載された移動通信端末が開発されている。このような移動通信端末では、物理チャンネルの周波数を用いて選局されているため、同じ物理チャンネルで選局した場合であっても、視聴地域によって番組の内容が異なる場合がある。すなわち、視聴地域間を移動することによって、ユーザが所望する番組を視聴することができないという問題が生じ得る。このような問題を解決するために、特許文献１には、予め移動通信端末に登録された番組予約情報と移動通信端末の現在位置情報とに基づいて、ユーザが予約した番組を現在位置に応じて選局させるための選局情報を移動通信端末に提供するデジタル放送受信システムが開示されている。
【特許文献１】特開２００５−１０９５８８号公報
【発明の開示】
【発明が解決しようとする課題】
【０００３】
ところが、上述したデジタル放送受信システムでは、選局情報の提供を受けるために、事前に番組を予約登録しておく必要がある。したがって、番組を予約登録していない場合には、視聴地域間を移動することによって、ユーザが所望する番組を視聴することができないという問題が生じてしまう。
【０００４】
そこで、本発明は、上述した課題を解決するために、番組の予約登録の有無に関わらず、ユーザが所望する番組の選局を視聴地域に応じて行うことができる移動通信端末および番組選局方法を提供することを目的とする。
【課題を解決するための手段】
【０００５】
本発明の移動通信端末は、放送波の周波数を識別するための物理チャンネルと放送事業者により提供される番組を識別するためのサービスＩＤと放送事業者を識別するための系列ＩＤとを対応付けて、チャンネル情報として記憶させるチャンネル情報記憶手段と、特定の番組を選局するように指定する番組指定情報に含まれる物理チャンネルおよびサービスＩＤと一致する物理チャンネルおよびサービスＩＤを有するチャンネル情報を、チャンネル情報記憶手段によって記憶されたチャンネル情報から抽出するチャンネル情報抽出手段と、チャンネル情報抽出手段によって抽出されたチャンネル情報に含まれる物理チャンネルに基づいて選局する選局手段と、を備え、上記チャンネル情報抽出手段は、番組指定情報に含まれる物理チャンネルおよびサービスＩＤを有するチャンネル情報を、チャンネル情報記憶手段によって記憶されたチャンネル情報から抽出できない場合には、番組指定情報に含まれるサービスＩＤと一致するサービスＩＤを有するチャンネル情報を、チャンネル情報記憶手段によって記憶されたチャンネル情報から抽出することを特徴とする。
【０００６】
また、本発明の番組選局方法は、移動通信端末が、放送波の周波数を識別するための物理チャンネルと放送事業者により提供される番組を識別するためのサービスＩＤと放送事業者を識別するための系列ＩＤとを対応付けて、メモリにチャンネル情報として記憶させるチャンネル情報記憶ステップと、特定の番組を選局するように指定する番組指定情報に含まれる物理チャンネルおよびサービスＩＤと一致する物理チャンネルおよびサービスＩＤを有するチャンネル情報を、チャンネル情報記憶ステップにおいて記憶されたチャンネル情報から抽出するチャンネル情報抽出ステップと、チャンネル情報抽出ステップにおいて抽出されたチャンネル情報に含まれる物理チャンネルに基づいて選局する選局ステップと、を備え、上記チャンネル情報抽出ステップは、番組指定情報に含まれる物理チャンネルおよびサービスＩＤを有するチャンネル情報を、チャンネル情報記憶手段によって記憶されたチャンネル情報から抽出できない場合には、番組指定情報に含まれるサービスＩＤと一致するサービスＩＤを有するチャンネル情報を、チャンネル情報記憶ステップにおいて記憶されたチャンネル情報から抽出することを特徴とする。
【０００７】
これらの発明によれば、番組指定情報に含まれる物理チャンネルおよびサービスＩＤを有するチャンネル情報が抽出された場合には、この抽出されたチャンネル情報の物理チャンネルに基づいて選局させることができるとともに、番組指定情報に含まれる物理チャンネルおよびサービスＩＤを有するチャンネル情報が抽出されない場合には、番組指定情報に含まれるサービスＩＤを有するチャンネル情報が抽出され、この抽出されたチャンネル情報の物理チャンネルに基づいて選局させることができる。すなわち、例えば、ユーザが視聴地域を移動する等して所望する番組とは異なる番組が選局されることになった場合には、ユーザが所望する番組のサービスＩＤに対応して記憶されている物理チャンネルを用いて選局させることができる。したがって、ユーザが所望する番組の選局を視聴地域に応じて行うことが可能となる。
【０００８】
本発明の移動通信端末において、上記チャンネル情報抽出手段は、番組指定情報に含まれるサービスＩＤを有するチャンネル情報を、チャンネル情報記憶手段によって記憶されたチャンネル情報から抽出できない場合には、番組指定情報に含まれる系列ＩＤと一致する系列ＩＤを有するチャンネル情報を、チャンネル情報記憶手段によって記憶されたチャンネル情報から抽出することが好ましい。
【０００９】
本発明の移動通信端末において、最後に選局された番組に対応するチャンネル情報を記憶するラストチャンネル情報記憶手段をさらに備え、上記選局手段は、チャンネル情報抽出手段によって番組指定情報に含まれる系列ＩＤを有するチャンネル情報がチャンネル情報記憶手段によって記憶されたチャンネル情報から抽出されなかった場合には、ラストチャンネル情報記憶手段によって記憶されたチャンネル情報に含まれる物理チャンネルに基づいて選局することが好ましい。
【発明の効果】
【００１０】
本発明に係る移動通信端末および番組選局方法によれば、番組の予約登録の有無に関わらず、ユーザが所望する番組の選局を視聴地域に応じて行うことができる。
【発明を実施するための最良の形態】
【００１１】
以下、本発明に係る移動通信端末および番組選局方法の実施形態を図面に基づき説明する。
【００１２】
図１は、本実施形態における携帯電話機１の構成を例示する図である。図１に示すように、携帯電話機１は、無線通信部１１と、チューナ部１２と、制御部２０と、メモリ部３０（チャンネル情報記憶手段、ラストチャンネル情報記憶手段）と、ＤＴＶアプリケーション部４０と、操作部５０と、表示部６０と、音声出力部７０とを有する。ＤＴＶアプリケーション部４０は、チャンネル情報抽出部４１（チャンネル情報抽出手段）と、番組選局部４２（選局手段）とを有する。
【００１３】
無線通信部１１は、アンテナ１１ａを備え、このアンテナ１１ａを介して音声データやパケットデータ等を受信する受信回路である。無線通信部１１は、番組指定情報を受信し、受信した番組指定情報を後述する番組指定情報テーブルに記憶させる。ここで、番組指定情報には、物理チャンネル、サービスＩＤおよび系列ＩＤが含まれる。物理チャンネルは、放送波の周波数を識別するためのＩＤであり、サービスＩＤは、放送事業者により提供される番組を識別するためのＩＤであり、系列ＩＤは、放送事業者を識別するためのＩＤである。この番組指定情報は、特定の番組を選局させるために、例えば、他のユーザやサービスプロバイダ等から送信される情報であってもよいし、ユーザ自身が入力する情報であってもよい。
【００１４】
チューナ部１２は、アンテナ１２ａを備え、このアンテナ１２ａを介して地上デジタル放送波等の放送波を受信する受信回路である。制御部２０は、各種プログラムを実行することで携帯電話機１の各構成要素を制御する。
【００１５】
メモリ部３０は、各種プログラムや各種データを記憶する。各種データを格納するテーブルとして、例えば、チャンネル情報テーブル、ラストチャンネル情報テーブル、番組指定情報テーブルがある。
【００１６】
チャンネル情報テーブルは、物理チャンネルとサービスＩＤと系列ＩＤとを対応付けて、チャンネル情報として記憶させる。図２を参照して具体的に説明すると、チャンネル情報テーブルは、データ項目として、例えば、チャンネル情報を一意に特定するための項番、物理チャンネル、サービスＩＤ、系列ＩＤを有する。
【００１７】
ラストチャンネル情報テーブルは、視聴終了時に選局していた物理チャンネル、サービスＩＤおよび系列ＩＤをラストチャンネル情報として記憶する。
【００１８】
番組指定情報テーブルは、無線通信部１１によって受信された物理チャンネル、サービスＩＤおよび系列ＩＤを含む番組指定情報を記憶する。
【００１９】
図１に示すＤＴＶアプリケーション部４０は、デジタルテレビを視聴させるためのＤＴＶアプリケーションを起動させることによって実現する機能である。ＤＴＶアプリケーションは、ユーザの操作指示に従って起動し、ユーザの操作指示に従って指定された物理チャンネルに基づいて放送波の同期処理を行う。ＤＴＶアプリケーションは、ユーザの操作指示に従ってテレビ視聴を終了させる場合に、終了時に選局されていた物理チャンネル、サービスＩＤおよび系列ＩＤをラストチャンネル情報としてラストチャンネル情報テーブルに記憶させる。
【００２０】
チャンネル情報抽出部４１は、番組指定情報に物理チャンネル、サービスＩＤまたは系列ＩＤが格納されているか否かを判定する。
【００２１】
チャンネル情報抽出部４１は、番組指定情報に物理チャンネルが格納されている場合に、番組指定情報に含まれる物理チャンネルおよびサービスＩＤと一致する物理チャンネルおよびサービスＩＤを有するチャンネル情報を、チャンネル情報テーブルに記憶されたチャンネル情報から抽出する。
【００２２】
また、チャンネル情報抽出部４１は、番組指定情報に物理チャンネルが格納されておらず、サービスＩＤが格納されている場合、または、番組指定情報に含まれる物理チャンネルおよびサービスＩＤと一致する物理チャンネルおよびサービスＩＤを有するチャンネル情報が抽出できなかった場合に、番組指定情報に含まれるサービスＩＤと一致するサービスＩＤを有するチャンネル情報を、チャンネル情報テーブルに記憶されたチャンネル情報から抽出する。
【００２３】
さらに、チャンネル情報抽出部４１は、番組指定情報にサービスＩＤが格納されておらず、系列ＩＤが格納されている場合、または、番組指定情報に含まれるサービスＩＤと一致するサービスＩＤを有するチャンネル情報が抽出できなかった場合に、番組指定情報に含まれる系列ＩＤと一致する系列ＩＤを有するチャンネル情報を、チャンネル情報テーブルに記憶されたチャンネル情報から抽出する。
【００２４】
ここで、チャンネル情報抽出部４１が、複数のチャンネル情報を抽出した場合には、以下の条件に基づいて一のチャンネル情報を選択することが好ましい。（１）チャンネル情報に、例えば、プライマリサービス、セカンダリサービス、サーダリサービス等のような優先順位が設定されている場合には、優先順位の最も高いチャンネル情報を選択する。（２）チャンネル情報にリモコン番号が設定されている場合には、リモコン番号の最も小さいチャンネル情報を選択する。（３）チャンネル情報に対応する物理チャンネルが最も小さいチャンネル情報を選択する。
【００２５】
番組選局部４２は、チャンネル情報抽出部４１によって抽出されたチャンネル情報に含まれる物理チャンネルを用いて選局する。
【００２６】
操作部５０は、携帯電話機１を操作するための入力キーを含んで構成されている。表示部６０は、携帯電話機１を操作する上で必要となる情報等をディスプレイに表示させる。音声出力部７０は、無線通信部１１によって受信された音声データを音声に変換してスピーカから出力させる。
【００２７】
なお、本実施形態では、移動通信端末の具体例として携帯電話機１を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００２８】
次に、図３を参照して、携帯電話機１における番組選局処理の流れを説明する。
【００２９】
まず、無線通信部１１は、特定の番組を選局するように指定する番組指定情報を受信する（ステップＳ１）。
【００３０】
次に、チャンネル情報抽出部４１は、番組指定情報に物理チャンネルが格納されているか否かを判定する（ステップＳ２）。この判定がＮＯである場合（ステップＳ２；ＮＯ）には、後述するサービスＩＤ判定処理が行われ（ステップＳ５）、この判定処理で選局された番組の視聴が開始される（ステップＳ７）。
【００３１】
一方、ステップＳ２における判定がＹＥＳである場合（ステップＳ２；ＹＥＳ）に、チャンネル情報抽出部４１は、番組指定情報に含まれる物理チャンネルとサービスＩＤを用いて、チャンネル情報テーブルに記憶されたチャンネル情報を検索する（ステップＳ３）。そして、チャンネル情報抽出部４１によって番組指定情報に含まれる物理チャンネルおよびサービスＩＤと一致する物理チャンネルおよびサービスＩＤを有するチャンネル情報が抽出された場合（ステップＳ４；ＹＥＳ）に、番組選局部４２は、抽出されたチャンネル情報に含まれる物理チャンネルを用いて選局する（ステップＳ６）。そして、選局された番組の視聴が開始される（ステップＳ７）。
【００３２】
次に、図４を参照して、上述したサービスＩＤ判定処理の流れについて説明する。
【００３３】
まず、チャンネル情報抽出部４１は、番組指定情報にサービスＩＤが格納されているか否かを判定する（ステップＳ１１）。この判定がＮＯである場合（ステップＳ１１；ＮＯ）には、後述する系列ＩＤ判定処理が行われ（ステップＳ１４）、その後、サービスＩＤ判定処理が終了する。
【００３４】
一方、ステップＳ１１における判定がＹＥＳである場合（ステップＳ１１；ＹＥＳ）に、チャンネル情報抽出部４１は、番組指定情報に含まれるサービスＩＤを用いて、チャンネル情報テーブルに記憶されたチャンネル情報を検索する（ステップＳ１２）。そして、チャンネル情報抽出部４１によって番組指定情報に含まれるサービスＩＤと一致するサービスＩＤを有するチャンネル情報が抽出された場合（ステップＳ１３；ＹＥＳ）に、番組選局部４２は、抽出されたチャンネル情報に含まれる物理チャンネルを用いて選局する（ステップＳ１５）。そして、サービスＩＤ判定処理を終了する。
【００３５】
一方、チャンネル情報抽出部４１によって番組指定情報に含まれるサービスＩＤと一致するサービスＩＤを有するチャンネル情報が抽出されなかった場合（ステップＳ１３；ＮＯ）には、後述する系列ＩＤ判定処理が行われ（ステップＳ１４）、その後、サービスＩＤ判定処理が終了する。
【００３６】
次に、図５を参照して、上述した系列ＩＤ判定処理の流れについて説明する。
【００３７】
まず、チャンネル情報抽出部４１は、番組指定情報に系列ＩＤが格納されているか否かを判定する（ステップＳ２１）。この判定がＮＯである場合（ステップＳ２１；ＮＯ）に、番組選局部４２は、ラストチャンネル情報テーブルに記憶されたチャンネル情報に含まれる物理チャンネルを用いて選局する（ステップＳ２５）。そして、系列ＩＤ判定処理を終了する。
【００３８】
一方、ステップＳ２１における判定がＹＥＳである場合（ステップＳ２１；ＹＥＳ）に、チャンネル情報抽出部４１は、番組指定情報に含まれる系列ＩＤを用いて、チャンネル情報テーブルに記憶されたチャンネル情報を検索する（ステップＳ２２）。そして、チャンネル情報抽出部４１によって番組指定情報に含まれる系列ＩＤと一致する系列ＩＤを有するチャンネル情報が抽出された場合（ステップＳ２３；ＹＥＳ）に、番組選局部４２は、抽出されたチャンネル情報に含まれる物理チャンネルを用いて選局する（ステップＳ２４）。そして、系列ＩＤ判定処理を終了する。
【００３９】
一方、チャンネル情報抽出部４１によって番組指定情報に含まれる系列ＩＤと一致する系列ＩＤを有するチャンネル情報が抽出されなかった場合（ステップＳ２３；ＮＯ）に、番組選局部４２は、ラストチャンネル情報テーブルに記憶されたチャンネル情報に含まれる物理チャンネルを用いて選局する（ステップＳ２５）。そして、系列ＩＤ判定処理を終了する。
【００４０】
以上のように、本実施形態における携帯電話機によれば、番組指定情報に含まれる物理チャンネルおよびサービスＩＤを有するチャンネル情報が抽出された場合には、この抽出されたチャンネル情報の物理チャンネルに基づいて選局させることができるとともに、番組指定情報に含まれる物理チャンネルおよびサービスＩＤを有するチャンネル情報が抽出されない場合には、番組指定情報に含まれるサービスＩＤを有するチャンネル情報が抽出され、この抽出されたチャンネル情報の物理チャンネルに基づいて選局させることができる。すなわち、例えば、ユーザが視聴地域を移動する等して所望する番組とは異なる番組が選局されることになった場合には、ユーザが所望する番組のサービスＩＤに対応して記憶されている物理チャンネルを用いて選局させることができる。したがって、ユーザが所望する番組の選局を視聴地域に応じて行うことが可能となる。
【００４１】
なお、上述した実施形態において、番組選局部４２は、物理チャンネルを用いて選局しているが、選局する方法はこれに限られない。例えば、一の物理チャンネルで受信される放送波に複数の番組が多重化されている場合には、物理チャンネルとサービスＩＤとを用いて選局することとしてもよい。
【００４２】
また、上述した実施形態では、番組の視聴を開始する際の選局に対して本願発明を適用した場合について説明しているが、これに限定されない。例えば、本願発明は、録画予約された番組の録画を開始する際の選局に対しても適用可能である。この場合には、上述した実施形態で用いられている番組指定情報として、番組を録画予約する際に登録される録画予約情報を採用すればよい。また、この変形例では、上述した図３および図４に示す動作のうち、図４のステップＳ１４における系列ＩＤ判定処理を除外して実行させることとしてもよい。
【００４３】
また、上述した実施形態では、系列ＩＤ判定処理（図４のステップＳ１４）が行われた場合に、その後、続けて番組の視聴を開始させているが、これに限定されない。例えば、系列ＩＤ判定処理が行われた場合には、番組の視聴を開始させる前に、ユーザに視聴の可否を問いかけて、視聴許可の応答がなされた場合にのみ番組の視聴を開始させることとしてもよい。
【図面の簡単な説明】
【００４４】
【図１】発明の実施形態における携帯電話機の構成を例示する図である。
【図２】チャンネル情報テーブルのデータ構成を示す図である。
【図３】携帯電話機における番組選局処理の流れを説明するためのフローチャートである。
【図４】図３に示すサービスＩＤ判定処理の流れを説明するためのフローチャートである。
【図５】図４に示す系列ＩＤ判定処理の流れを説明するためのフローチャートである。
【符号の説明】
【００４５】
１・・・携帯電話機、１１・・・無線通信部、１１ａ・・・アンテナ、１２・・・チューナ部、１２ａ・・・アンテナ、２０・・・制御部、３０・・・メモリ部、４０・・・ＤＴＶアプリケーション部、４１・・・チャンネル情報抽出部、４２・・・番組選局部、５０・・・操作部、６０・・・表示部、７０・・・音声出力部。
【図１】
2008153883.tif 000003
【図２】
2008153883.tif 000004
【図３】
2008153883.tif 000005
【図４】
2008153883.tif 000006
【図５】
2008153883.tif 000007